(57)【特許請求の範囲】
【請求項１】
中央孔を有する情報記録媒体を収納可能な情報記録媒体収納領域部と、該情報記録媒体収納領域部に隣在するメモリカートリッジ収納領域部とを内部に備え、メモリカートリッジ収納領域部に、カートリッジの側面を囲繞ないし当接するカートリッジ保持部と、該カートリッジ保持部よりメモリカートリッジの脱落を防ぐ脱落防止突起を備えた情報記録媒体ケースにおいて、前記カートリッジ保持部にメモリカートリッジを完全嵌着収納したときに、ケース面とカートリッジ面との間に間隙を設けるとともに、前記カートリッジ保持部の少なくとも１辺に開放域を有し、該開放域に弾性体条体片が備えられ、該弾性体条体片中央に設けられ脱嵌用テーパ面を備えたカートリッジ脱嵌具が、前記弾性体条体片の弾発により、前記間隙に挿脱自在であることを特徴とする情報媒体ケース。
【請求項２】
カートリッジ脱嵌具が、平常時はカートリッジ保持部の端辺に当接ないし近接し、脱嵌のための押圧を加える部分に滑り止め手段が備えられたことを特徴とする請求項１記載の情報媒体ケース。
【請求項３】
弾性体条体片及びカートリッジ脱嵌具が、ケース本体と一体成形されたことを特徴とする請求項１記載の情報媒体ケース。
【発明の詳細な説明】
【技術分野】
【０００１】
本発明は、情報媒体ケースに関するものである。
【０００２】
情報媒体ケースにも種々出回っているが、本発明は、主にゲームソフトに係るＤＶＤないしＣＤと共に、ゲームメモリカートリッジを共に内蔵する情報媒体ケースに関するものである。
【背景技術】
【０００３】
本発明の背景技術となるものは、特開２００３−０６３５８６ある。この技術は、基本的に、記録媒体の脱落防止と取扱説明書等冊子の保持と兼用しうることを目的としたものではあるが、その技術構成要素としては、情報記録媒体収納領域部に隣在するメモリカートリッジ収納領域部とを内部に備え、またメモリカートリッジ収納領域部に、カートリッジの側面を囲繞ないし当接するカートリッジ保持部と、該カートリッジ保持部よりメモリカートリッジの脱落を防ぐ脱落防止突起を備えている。
【０００４】
一般に、メモリカートリッジをケース内に嵌着収納する際には、カートリッジ保持フレームのような、メモリカートリッジ収納領域部におけるカートリッジ保持部に、メモリカートリッジを完全嵌着して収納する。これは、メモリカートリッジの不測の脱落を防止するとともに、それほど空間的に厚みのないケース内部に効率的に収納するために、また取扱説明書等の冊子をも併せ、収納時に凹凸のない効率的な態様に収納しなければならないと云う要請による。
【特許文献１】特開２００３−０６３５８６号公報
【発明の開示】
【発明が解決しようとする課題】
【０００５】
このような要請のものとでは、メモリカートリッジが完全嵌着された場合、メモリカートリッジ上表面とカートリッジの側面を囲繞ないし当接するカートリッジ保持部、たとえばカートリッジ保持フレームの上端とがほぼ同一平面となる上に、メモリカートリッジもそれほどの厚みを有する物品ではなく、不測の脱落防止を出来る限り防ぐために、諸処に脱落防止手段、例えば突起などで固定支持されることが多く、取り出しに難が生じることが多く、また無理に取り出しを強行した場合、メモリカートリッジがカートリッジ保持フレームより不測に跳出することもあり得る、という課題があった。
【０００６】
本発明はこのような課題にかんがみ、カートリッジ保持フレームからのメモリカートリッジ取り出し時に難を生じることなく、簡便かつ円滑にに取り出し可能であって、しかも廉価に製造可能な情報媒体の収納ケースを提供することを目的とする。                      
【課題を解決するための手段】
【０００７】
本発明は、中央孔を有する情報記録媒体を収納可能な情報記録媒体収納領域部と、該情報記録媒体収納領域部に隣在するメモリカートリッジ収納領域部とを内部に備え、メモリカートリッジ収納領域部に、カートリッジの側面を囲繞ないし当接するカートリッジ保持部と、該カートリッジ保持部よりメモリカートリッジの脱落を防ぐ脱落防止突起を備えた情報記録媒体ケースにおいて、前記カートリッジ保持部にメモリカートリッジを完全嵌着収納したときに、ケース面とカートリッジ面との間に間隙を設けるとともに、前記カートリッジ保持部の少なくとも１辺に開放域を有し、該開放域に弾性体条体片が備えられ、該弾性体条体片中央に設けられ脱嵌用テーパ面を備えたカートリッジ脱嵌具が、前記弾性体条体片の弾発により、前記間隙に挿脱自在である構成を最も主要な特徴とする。
【０００８】
前項記載の主要課題解決手段のもとに、本発明は、より典型的な課題解決手段として、カートリッジ脱嵌具が、平常時はカートリッジ保持部の端辺に当接ないし近接し、脱嵌のための押圧を加える部分に滑り止め手段が備えられた構成をとりうるものである。
【０００９】
これらの課題解決手段のもとに、本発明では、廉価な製造を実現するための課題解決手段として、弾性体条体片及びカートリッジ脱嵌具が、ケース本体と一体成形されるものである。
【発明の効果】
【００１０】
本発明の情報媒体ケースは、上述の課題解決手段により、カートリッジ保持フレームに完全嵌着され、これを取り出しにくい状況にあった場合、ケース面とカートリッジマントの間隙に、脱嵌用テーパ面を備えたカートリッジ脱嵌具に指で押圧加え、テーパ面よりこの脱嵌具を保持部カートリッジ保持部開放域より漸次挿入してゆく。カートリッジ脱嵌具には滑り止め手段、例えば面の凹凸などが形成されているため、押圧は加えやすい。
【００１１】
カートリッジ脱嵌具が漸次挿入されていくと、メモリカートリッジは、脱嵌具挿入部より漸次上揚し、これがさらに進むと、指でメモリカートリッジを挟持して簡単に取り出すことが出来るか、或いは自動的にカートリッジ保持フレームの外に搬出される。
【００１２】
カートリッジ脱嵌具が、平常時は嵌着収納されたメモリカートリッジに当接ないし近接する構成では、カートリッジ脱嵌具に押圧を加えていた指を話すと、弾性体条体片の弾発により、カートリッジ脱嵌具は元に戻る。言い換えれば、平常時の態様である、嵌着収納されたメモリカートリッジに当接ないし近接する状態に戻る。
【００１３】
平常時の態様、即ち平常時はカートリッジ保持部の端辺に当接ないし近接する状態に戻ると、カートリッジ保持部即ち保持フレームは、その上面よりカートリッジが収納されるほぼ全域にわたって、メモリカートリッジが完全嵌着収納可能な状態に空間が保全される。あとは再びメモリカートリッジを、カートリッジ保持部即ちカートリッジ保持フレームに完全嵌着収納すればよい。
【発明を実施するための最良の形態】
【００１４】
以下本発明情報媒体ケースの実施形態を図面を参照しつつ詳述する。
【００１５】
図１は、本発明情報媒体ケースの実施形態の内部全体図であり、図２（ａ）は、本実施形態の構成要素であるカートリッジ保持フレームにカートリッジを完全嵌着収納したときを示す要部斜視図であり、（ｂ）は本実施形態の脱嵌具に押圧を加えてカートリッジ保持フレームよりカートリッジが上揚した状態を示す要部斜視図である。図３（ａ）は、本実施形態の構成要素であるカートリッジ保持フレームにカートリッジを完全嵌着収納したときを示す要部側面模式図であり、（ｂ）は本実施形態の構成要素である脱嵌具に押圧を加えてカートリッジ保持フレームよりカートリッジが上揚した状態を示す要部側面模式図である。
【００１６】
本実施形態情報媒体ケース本体１は、その内部が図１に示されるような全体形状であって、中央孔を有する情報記録媒体を収納可能な情報記録媒体収納領域部であるディスク収納部２と、ディスク収納部２の下方に隣在するメモリカートリッジ収納領域部であるカートリッジ保持フレーム３とがその内部に備えられている。
【００１７】
カートリッジ保持フレーム３は、３方に開放域を持ち、そのうちの２開放域４ａ、４ｂは、カートリッジ把持用開放域であり、もう一方４ｃが、脱嵌具摺動域保全用開放域である。この脱嵌具摺動保全用開放域４ｃを含むカートリッジ保持フレーム３の辺の両端より、弾性体条体片５が略Ｗ字状に形成されている。この弾性条体片５の略Ｗ字状中央の谷部は、平坦部５ａとなっており、この平坦部５ａには、脱嵌具６が形成される。
【００１８】
脱嵌具６の形状は、図２（ａ）（ｂ）及び図３（ａ）（ｂ）に示されるように、ケース本体と摺動当接する部分は単なる平面もしくは線状に当接する部分が平面となっているが、上面は、平常時において載在するカートリッジ保持フレーム端即ち脱嵌具摺動保全用開放域４ｃより弾性体条体片平坦部５ａにかけ、脱嵌用テーパ面６ａとなっており、漸次高くないしは厚くなっている。但し脱嵌具６の厚みは、弾性体条体片５の幅とほぼ合致する。
【００１９】
脱嵌具６は、その背面部分に、指で押圧を加える際に滑ることのないよう、凹凸部分６ｂが形成され、また脱嵌具６の静止状態においては、その隣域も含めて、ケース本体１より僅かに遊離しているほうが望ましい。これら弾性体条体片５、脱嵌具６は、ケース本体１と一体成形されている。また、平常時においては、脱嵌具６の端線は、脱嵌具摺動保全用開放域４ｃを含む辺にほぼ合致する
【００２０】
なお、メモリカートリッジＣが、カートリッジ保持フレーム３に完全嵌着収納されている場合、ケース本体１との間に若干の間隙７が設けられているのが通常であるが、間隙７に限らず、脱嵌具６の端線がメモリカートリッジＣとケース本体１との間に進入可能な形状となっていれば、差し支えない。
【００２１】
以上のような構成により、ケース本体とカートリッジの下方面との間隙７に、脱嵌具６に指で押圧を加え、脱嵌用テーパ面６ａを、その先端から脱嵌具摺動保全用開放域４ｃを通して漸次挿入してゆく。脱嵌具６には滑り止め手段である凹凸部６ｂが形成されているため、押圧は加えやすい。
【００２２】
脱嵌具６が漸次間隙７に挿入されていくと、メモリカートリッジＣは、図２（ａ）、（ｂ）、図３（ａ）（ｂ）に示されるように、脱嵌具６の挿入部より漸次上揚し、これがさらに進むと、指でメモリカートリッジを挟持して簡単に取り出すことが出来る。カートリッジ把持用開放域４ａ、４ｂよりメモリカートリッジＣを指で把持し、ケース本体から引き離して取り出そうとする労力に比べ、格段に少ない労力ですむのみならず、取り出しも安全に行われる。
【００２３】
脱嵌具６が、カートリッジ脱嵌具に押圧を加えていた指を話すと、弾性体条体片の弾発により、カートリッジ脱嵌具は元に戻る。即ち平常時の態様である、カートリッジ保持部の端辺に当接ないし近接する状態に戻る。
【００２４】
なお弾性体条体片５の形状が、略Ｗ字状になっているのは、Ｗ字状の谷部、言い換えれば２箇所のＶ字状の部分が、それ自体バネの機能を効率的に果たすためである。この部分が単に直線であれば、非常に強い押圧を加えなければならず、また一体成形の接合部に大きな応力集中がかかり、適切でない。従って本実施形態の弾性体条体片５の形状は、頗る優れた実施例である。
【００２５】
平常時の態様に戻ると、脱嵌具６はカートリッジ保持フレーム３の端辺、すなわち脱嵌具摺動保全用開放域４ｃを含む辺に当接ないし近接し、カートリッジ保持フレーム３は、その上面よりカートリッジが収納されるほぼ全域にわたって、メモリカートリッジが完全嵌着収納可能な状態に空間が保全される。あとは再びメモリカートリッジを、カートリッジ保持部即ちカートリッジ保持フレームに完全嵌着収納すればよい。
【００２６】
以上詳述された本発明実施形態から、本発明情報媒体ケースによれば、カートリッジ保持フレームからのメモリカートリッジ取り出し時に難を生じることなく、簡便かつ円滑にに取り出し可能であって、しかも廉価に製造可能な情報媒体の収納ケースが提供される。  
【産業上の利用可能性】
【００２７】
本発明は、メモリカートリッジの取り出しの利便性、安全性に力点を置いた発明であるが、情報媒体ケース一般に、図１に見られる形でメモリカートリッジを収納する形態が近来増加しているため、本発明は頗る有用性に富むものである。
【図面の簡単な説明】
【００２８】
【図１】本発明情報媒体ケースの実施形態の内部全体図である。
【図２】（ａ）は本実施形態の構成要素であるカートリッジ保持フレームにカートリッジを完全嵌着収納したときを示す要部斜視図であり、（ｂ）は本実施形態の脱嵌具に押圧を加えてカートリッジ保持フレームよりカートリッジが上揚した状態を示す要部斜視図である。
【図３】（ａ）は、本実施形態の構成要素であるカートリッジ保持フレームにカートリッジを完全嵌着収納したときを示す要部側面模式図であり、（ｂ）は本実施形態の構成要素である脱嵌具に押圧を加えてカートリッジ保持フレームよりカートリッジが上揚した状態を示す要部側面模式図である。
【符号の説明】
【００２９】
１            ケース本体
２            ディスク収納部
３            カートリッジ保持フレーム
４ａ、ｂ      カートリッジ把持用開放域
４ｃ          脱嵌具摺動保全用開放域
５            弾性体条体片
５ａ          平坦部
６            脱嵌具
６ａ          脱嵌用テーパ面
６ｂ          凹凸部分
７            間隙
Ｃ            メモリカートリッジ
【図１】
0003711353.tif 000002
【図２】
0003711353.tif 000003
【図３】
0003711353.tif 000004